(57)【要約】 【課題】  竪平屋根におけるピラミッド型杆材製の雪止め具の取付固定作業を確実に行うとともに、施工後の屋根面全体における美観を向上することを目的とする。 【解決手段】  左右対称に長尺の縦部２，２とその上下部に短尺の横部３，３とを形成して成る基板１，１を設け、この両基板を左右両側部に対置した上方部に，全体が両三角杆材によってピラミッド形状に成る雪止め部材４を周囲に枠杆材６を横架して設置し、対置した前記両基板の一横部上にヒンジ部１９を設けるとともに両基板の他横部上には掛止部２０を設け、このヒンジ部及び掛止部を介してピラミッド形状に成る雪止め部材を両基板上において開閉し得るようにし、対置する前記両基板の縦部内側には垂直板８と他垂直板１２をそれぞれ固着し、前記両垂直板の中央部に設けた通孔間に雄螺子１６を挿通して雌螺子１７を螺合し、この雌雄螺子の緊締により前記雪止め部材を竪平屋根面部に固定する。【選択図】    図４
2017057605.tif 000002
【特許請求の範囲】
【請求項１】
左右対称に長尺の縦部とその上下部に短尺の横部とを形成して成る基板を設け、この両基板を左右両側部に対置した上方部に，全体が両三角杆材によってピラミッド形状に成る雪止め部材を周囲に枠杆材を横架して設置し、対置した前記両基板の一横部上にヒンジ部を設けるとともに両基板の他横部上には掛止部を設け、このヒンジ部及び掛止部を介してピラミッド形状に成る雪止め部材を両基板上において開閉し得るようにし、対置する前記両基板の縦部内側には垂直板と他垂直板をそれぞれ固着し、前記両垂直板の中央部に設けた通孔間に雄螺子を挿通して雌螺子を螺合し、この雌雄螺子の緊締により前記雪止め部材を竪平屋根面部に固定するようにして成ることを特徴とする竪平屋根用雪止め具。
【請求項２】
一方の垂直板の底辺部内側に爪部を設け、この爪部は他垂直板の底辺部内側に設けた爪部と竪平屋根面部を挟んで対抗するよう位置して成る請求項１に記載した竪平屋根用雪止め具。
【発明の詳細な説明】
【技術分野】
【０００１】
本発明は、竪平屋根において取付ける雪止め具に関するものである。
【背景技術】
【０００２】
本発明の出願人は、金属杆材によって構成するピラミッド型の雪止め具については、下記する構成から成るものを発明しているところ、特に竪平屋根面に確実に固定することができるものではなかった。
【先行技術文献】
【特許文献】
【０００３】
【特許文献１】特開２０１２−２２９６０２号
【特許文献２】特願２０１４−２１３１６３号（先願）
【発明の概要】
【発明が解決しようとする課題】
【０００４】
そこで、本発明は、特に竪平屋根におけるピラミッド型杆材製の雪止め具の取付固定作業を円滑かつ確実に行うとともに、施工後の屋根面全体における美観を向上することを目的とするものである。
【課題を解決するための手段】
【０００５】
本発明は、左右対称に長尺の縦部とその上下部に短尺の横部とを形成して成る基板を設け、この両基板を左右両側部に対置した上方部に，全体が両三角杆材によってピラミッド形状に成る雪止め部材を周囲に枠杆材を横架して設置し、対置した前記両基板の一横部上にヒンジ部を設けるとともに両基板の他横部上には掛止部を設け、このヒンジ部及び掛止部を介してピラミッド形状に成る雪止め部材を両基板上において開閉し得るようにし、対置する前記両基板の縦部内側には垂直板と他垂直板をそれぞれ固着し、前記両垂直板の中央部に設けた通孔間に雄螺子を挿通して雌螺子を螺合し、この雌雄螺子の緊締により前記雪止め部材を竪平屋根面部に固定するようにして成るものである。
【発明の効果】
【０００６】
第１に、両基板上の雪止め部材を竪平屋根面部に取付ける時は、ピラミッド型に直立する雪止め部材を両基板上のヒンジ部を支点に予め開口状態にしておき、両基板上の中央部に立設する２つの垂直板間に挿通している雄螺子に対し雌螺子を螺合して緊締する作業を、周囲に邪魔する部材はなく、円滑かつ短時間のうちに確実に行うことができるようになる。
【０００７】
第２に、竪平屋根面部に本雪止め部材が取付けられた後において、積雪による重力が加わって滑落状態が起ろうとしたときには、雪止め部材内部における取付け部材は両垂直板底辺部にある両爪部の竪平屋根面部への作用によって、緊締雄雌螺子部の弛緩と離脱の発生を阻止し、積雪の滑落による故障を未然に防止することができる。
【０００８】
第３に、左右の両三角杆材によるピラミッド型の雪止め部材を竪平屋根面の任意位置に多数取付けた光景は、非積雪時の季節においては竪平屋根面の美観を発揮することに貢献することができる。
【０００９】
第４に、このピラミッド型の雪止め部材を竪平屋根面部に取付ける手段としての取付け具は、雪止め部材の内部に完全に設置されて屋根面の外部には露出していないから、屋根全面の美観保持に極めて有効な構造と成っているのみならず、積雪が直接雪止め部材の取付け具に接触して衝撃を与えることはないから、雪止め部材は安心して設置状態を維持することができる。
【図面の簡単な説明】
【００１０】
【図１】全体の完成状態を示す斜視図
【図２】図１の平面図
【図３】図２の一部拡大の正面図
【図４】雪止め部材の開口状態を示した斜視図
【図５】２つの基板材の正面図
【図６】図５の両基板材の側面図
【図７】雪止め部材の斜視図
【図８】一垂直板部の正面図
【図９】図８の平面図
【図１０】図８の右側面図
【図１１】図８Ａ−Ａ線の側断面図
【図１２】他垂直板部の正面図
【図１３】図１２の平面図
【図１４】図１２の右側面図
【図１５】図１２Ｂ−Ｂ線の側断面図
【図１６】要部の緊締状態を示す一部断面の正面図
【発明を実施するための形態】
【００１１】
本発明にかかる雪止め部材は、２つの三角杆材が底面部に対置する２つの同形状の基板を跨いでピラミッド形状に設置して固定する状態にあるとともに、その内部の取付部材は２つの垂直板が相対して左右の基板上に一体に立設しているものであるから、この取付部材をそのまま竪平屋根面部の適当位置に挟み込むことになる。
【００１２】
そこで、本雪止め部材を竪平屋根面部に取付けるためには、まずピラミッド型の雪止め部材を開放するために、一方の底枠杆材の左右両側部が掛け止まっている両基板の横部外側の掛止部から外した後、これを上方から後方に持ち下げる。すると、反対側に位置する底枠杆材の左右両側部が両基板の各横部の各ヒンジ部を支点に回動するから、雪止め部材の内部に設置されている両垂直板部は開放状態になる。（図４参照）
【００１３】
かかる状態において、所定の竪平屋根面部に挟み込んだ両垂直板の中央部間に挿通する雄螺子に対し雌螺子を作業工具により緊締螺着することによって、本雪止め部材は竪平屋根面部に固定されることになる。
【００１４】
雪止め部材の取付け作業が終了した時は、開口状態にある雪止め部材を持ち上げて、これを回動すれば、雪止め部材は両基板のヒンジ部を支点に回動して元位置の各掛止部に戻って係止する。
【実施例１】
【００１５】
１，１はそれぞれ全体が長尺の縦部２，２とその上下部に短尺の横部３，３，３，３とから成る基板で、この基板の縦部２，２は凸曲げ形態により凹面部を形成する。
【００１６】
前記基板１，１の一横部３，３の外側部上にはヒンジ部１９，１９を設け、また基板１，１の他横部３，３の外側部には掛止部２０，２０を設ける。
【００１７】
４は全体が金属杆材によりピラミッド形状に構成する雪止め部材で、これは底辺部から頂点部にかけて三角形に曲折した三角杆材５，５を前後両側部から斜設して接合し、この両三角杆材の中間部及び上側部の周囲には適当間隔をおいて水平に枠杆材６，６を接合して成る。
【００１８】
前記枠杆材６，６が包囲している両三角杆材５，５部分には、三角形状に成る補強杆材１８，１８を架設する。
【００１９】
前記ピラミッド形状に成る両三角杆材５，５の各底辺部は、縦部２，２を対置した前記基板１，１の横部３，３，３，３の外端部上と縦部の両端の横部３，３の外端部に架設する底枠杆材６’，６’にそれぞれ載置固定する。
【００２０】
８は一方の前記基板１の縦部２の内側部に固着する略台形状に成る垂直板で、この垂直板の周縁には補強部を形成し、その中央部９は凸形状に成るとともに２つの通孔１０，１０を設けている。
【００２１】
１１，１１は前記垂直板８の底辺部の外方に設けた曲折部で、この曲折部は前記一方の基板１の凹面部に装着するようになる。
【００２２】
１２は他方の前記基板１の縦部２の内側部に固着する略台形状に成る他垂直板で、この他垂直板の周縁には補強部を形成し、その中央部１３は凸形状に成るとともに２つの通孔１４，１４を設けている。
【００２３】
１２’は前記他垂直板１２の上端中央部に内方向に曲折した突出部である。
【００２４】
１５，１５は前記他垂直板１２の底辺部の外方に設けた曲折部で、この曲折部は他方の基板１の凹面部に装着する。
【００２５】
１６，１６は前記垂直板８の通孔１０，１０と他垂直板１２の通孔１４，１４との間に挿通する雄螺子で、雄螺子を両垂直板により竪平屋根面ａを左右両側方から挟合したとき、両垂直板８，１２の中央部において雌螺子１７，１７との螺合によって緊締固定するようになる。（図１６参照）
【００２６】
前記垂直板８，１２の中間位置の雄螺子１６，１６条には、薄発条板を介装して緩衝効果を与えるようにし、螺締作用が円滑にできるようにする。
【００２７】
略同形状に成る両垂直板８，１２の相対位置においては、その雄雌螺子１６，１６，１７，１７が、前記両三角杆材５，５を水平に包囲する枠杆材６，６が欠除して開放面状態部７，７にある位置にあるから、作業員はこの開放面方向から作業工具を使用して雌螺子１７，１７を緊締作業する。
【００２８】
１９，１９は前記基板３，３の一横部３，３上に設けるヒンジ部で、このヒンジ部には前記雪止め部材４を構成する一三角杆材５の底枠杆材６’の左右両端部が嵌挿している。
【００２９】
２０，２０，２０，２０は前記基板３，３の各横部３，３，３，３の適所に設けた掛止部で、前記雪止め部材４の閉口時には、その三角杆材５，５の底枠杆材６’，６’を一時的に掛け止めて固定状態にしておく。
【００３０】
２１，２１は一方の垂直板８の底辺部内側に設けた爪部で、この爪部の反対位置には他垂直板１２の底辺部内側に設けた爪部２２，２２がある。
【符号の説明】
【００３１】
１，１                        基板
２，２                        縦部
３，３，３，３                横部
４                            雪止め部材
５，５                        三角杆材
６，６                        枠杆材
６’，６’                    底枠杆材
７，７                        開放面状態部
８                            垂直板
９                            垂直板の中央部
１０，１０                    通孔
１１，１１                    曲折部
１２                          他垂直板
１２’                        突出部
１３                          他垂直板の中央部
１４，１４                    通孔
１５，１５                    曲折部
１６，１６                    雄螺子
１７，１７                    雌螺子
１８，１８                    補強杆材
１９，１９                    ヒンジ部
２０，２０・・                掛止部
２１，２１                    爪部
２２，２２                    爪部
ａ                            竪平屋根面
【図１】
2017057605.tif 000003
【図２】
2017057605.tif 000004
【図３】
2017057605.tif 000005
【図４】
2017057605.tif 000006
【図５】
2017057605.tif 000007
【図６】
2017057605.tif 000008
【図７】
2017057605.tif 000009
【図８】
2017057605.tif 000010
【図９】
2017057605.tif 000011
【図１０】
2017057605.tif 000012
【図１１】
2017057605.tif 000013
【図１２】
2017057605.tif 000014
【図１３】
2017057605.tif 000015
【図１４】
2017057605.tif 000016
【図１５】
2017057605.tif 000017
【図１６】
2017057605.tif 000018